(57)【要約】      （修正有）【課題】直射光線を防ぎ、光の強度を均等にし、暗い場所を生じさせないＬＥＤランプを提供する。【解決手段】本体１と、本体１の外側に設置する反射カップ２を含む。反射カップ２の底部には、外側に延伸する固定体３を設け、固定体３上には、斜面３１を備える。斜面３１のランプ軸線に対する挟角を０度以上９０度以下とし、斜面３１上には、少なくとも一つの発光体４を取り付ける。【選択図】図３
0003184628.tif 000002
【実用新案登録請求の範囲】
【請求項１】
ＬＥＤランプであって、
ランプの本体の外側には、反射カップを設け、反射カップの底部には、外側に延伸する固定体を設け、
固定体上には、斜面を設け、前記斜面は、ランプ軸線に対する挟角を０度以上９０度以下とし、しかも前記斜面上には少なくとも一つの発光体を設けることを特徴とするＬＥＤランプ。
【請求項２】
前記固定体上の斜面を複数個設置し、且つ複数の斜面をランプ軸線に均等に配置するよう繞設し、各斜面上には少なくとも一つの発光体を取り付けることを特徴とする請求項１に記載のＬＥＤランプ。
【請求項３】
前記固定体の下方には、一つのキャップを設置することを特徴とする請求項１に記載のＬＥＤランプ。
【請求項４】
前記反射カップの反射面が、複数の多角形面によって構成されることを特徴とする請求項１に記載のＬＥＤランプ。
【考案の詳細な説明】
【技術分野】
【０００１】
本考案は、ＬＥＤランプに関する。
【背景技術】
【０００２】
ランプには、図１に示すような発光体を反射カップの内側底部に取り付けたものがあり、ランプが点灯すると、発光体の放つ光の大部分が直接ランプ内から照射され、側面の小部分の光だけは反射カップの反射を受けてランプ外に照射される。この種の構造のランプは、発光体の放つ光が直射するので、ランプを真っ向から見た時、光線の直射によって目に刺激を与える。高効率のＬＥＤ発光体について言えば、光線が強烈なため、目が直射による痛みを感じることもある。
【０００３】
よって、これを改善するランプ構造が生まれた。図２に示すようなランプは、発光体を反射カップの底部から延伸する垂直柱体の側面に設置したものである。このような発光体は発せられる光が反射カップ上を直射し、反射カップによって反射される。前記ランプ構造は、発光体の主な発光エリアがランプ外を直射しないため、目を刺激する問題を解決する。しかし、一部の光線が柱体に遮断されるため、ランプの光は比較的弱くなり、通常、ランプの照射エリアの中央に暗い場所が形成され、照明効果に影響を与えている。
【先行技術文献】
【特許文献】
【０００４】
【特許文献１】なし
【考案の開示】
【考案が解決しようとする課題】
【０００５】
本考案の解決しようとする課題は、目に痛みを感じさせる直射光線を防ぎ、光の強度を均等にし、暗い場所を生じさせないＬＥＤランプを提供することにある。
【課題を解決するための手段】
【０００６】
前記技術問題を解決するための本考案の解決手段は次の通りである。
【０００７】
本考案のＬＥＤランプにおいて、該ランプは、本体の外側に反射カップを設け、反射カップの底部には外側に延伸する固定体を設け、固定体上に備える斜面は、ランプ軸線に対する挟角を０度以上９０度以下とし、斜面上には少なくとも一つの発光体を設ける。
【０００８】
前記固定体上の斜面を複数個設置し、尚且つ複数の斜面をランプ軸線に均等に配置するよう繞設する。各斜面上には少なくとも一つの発光体を取り付ける。
【０００９】
前記固定体の下方に一つのキャップを設置する。
【００１０】
前記反射カップの反射面は、小サイズの若干の多角形面によって構成される。
【００１１】
前述の手段を採用後、本考案のＬＥＤランプは、発光体をランプ軸線と一定の挟角を備える斜面上に取り付ける故、現在の技術のように発光体をランプの外側に向けて反射カップの底部に取り付けることなく、点灯時、発光体の放つ大部分の光線が反射カップに射し込み、反射カップによる反射後、ランプから照射される。光線が垂直に照射されないため、直射型のランプほど目を刺激することがない。また、発光体が縦方向面上に設置されていないため、光線が遮断される問題も発生せず、暗くなる場所を形成することもない。
【００１２】
また、本考案は、複数個の均等に配置する斜面を設置してもよく、これにより発光体は均等に配置され、反射される光線は更に均等に、更に柔らかい光線となる。
【考案の効果】
【００１３】
本考案のＬＥＤ照明装置は、点灯時、発光体の放つ大部分の光線が反射カップに射し込み、反射カップによる反射後、ランプから照射される。よって、光線が垂直に照射されないため、直射型のランプほど目を刺激することがない。また、発光体が縦方向面上に設置されていないため、光線が遮断される問題も発生せず、暗くなる場所を形成することもない。さらに、複数個の均等に配置する斜面により、発光体が均等に配置されるため、反射される光線は更に均等に、更に柔らかい光線となる効果を有する。 
【図面の簡単な説明】
【００１４】
【図１】現有のランプの発光光線を示す模式図である。
【図２】現有のもう一つのランプ発光光線を示す模式図である。
【図３】本考案の第一実施例の立体図である。
【図４】本考案の第一実施例の断面図である。
【図５】本考案の第一実施例の反射カップ及びＬＥＤ固定体の立体図である。
【図６】本考案の発光体の発光光線を示す模式図である。
【図７】本考案の第二実施例の断面図である。
【図８】本考案の第二実施例の立体分解図である。
【図９】本考案の第三実施例の断面図である。
【考案を実施するための最良の形態】
【００１５】
次に、図面を参照とした具体的な実施例によって本考案を詳述する。
【００１６】
本考案に開示するＬＥＤランプについて、図３、４、５に本考案の好ましい実施例を示す。前記ＬＥＤランプは、本体１の外側に反射カップ２を設け、反射カップ２の底部には外側に延伸する固定体３を設け、固定体３上に備える斜面３１は、ランプ軸線に対する挟角を０度以上９０度以下とし、斜面３１上には少なくとも一つのＬＥＤ４を設ける。
【００１７】
前記ランプは、ＬＥＤ４をランプ軸線と一定の挟角を備える斜面３１上に取り付けるため、点灯時、ＬＥＤ４の放つ大部分の光線が反射カップ２に射し込み、反射カップ２による反射後、ランプから照射される。これは図６に示すとおりである。光線が垂直に照射されないため、直射型のランプほど目を刺激することがない。また、ＬＥＤが縦方向面上に設置されていないため、光線が遮断される問題も発生せず、暗くなる場所を形成することもない。
【００１８】
さらに、光線を均等化するために、前記固定体３上に斜面３１を複数個設置し、尚且つ、複数の斜面をランプ軸線に均等に配置するよう繞設してもよい。例えば、本実施例では、三つの均等配置する斜面３１を設け、各斜面３１上には少なくとも一つのＬＥＤ４を取り付ける。このようにして、反射される光線は更に均等に、更に柔らかい光線となる。
【００１９】
また、前記反射カップ２の反射面は、小サイズの若干の多角形面２１によって構成してもよい。全体の比較的大きな反射面を分割して小サイズの多角形面を形成した後、各反射面の面積が減少するため、大きなフレアの形成を防ぎ、作り出される光線が更に柔らかく快適になる。
【００２０】
ここで説明が必要なのは、前記斜面３１とランプ軸線の挟角は、理論上では０度以上９０度以下を必要とするが、実際において、その角度が小さいほど、外側に直射される光線も小さくなり、更に良好な効果が得られる。図７と図８に示すとおり、本実施例の固定体３上には三つの斜面３１を設け、斜面３１とランプ軸線の挟角を１５度とする。また、図９に示した実施例の固定体３の斜面３１は、ランプ軸線に対する挟角を５度とした。尚、図７、８、９に示した実施例のその他の構造及び符号はいずれも第一実施例と同様である。
【００２１】
また、図７、８、９に示すとおり、本考案は、固定体３の下方に、ＬＥＤ４を覆うための一つのキャップ５を設置してもよく、光線の直射による目への刺激問題を防ぐことができる。
【符号の説明】
【００２２】
１：本体
２：反射カップ
２１：多角形面
３：固定体
３１：斜面
４：ＬＥＤ
５：キャップ
【図１】
0003184628.tif 000003
【図２】
0003184628.tif 000004
【図３】
0003184628.tif 000005
【図４】
0003184628.tif 000006
【図５】
0003184628.tif 000007
【図６】
0003184628.tif 000008
【図７】
0003184628.tif 000009
【図８】
0003184628.tif 000010
【図９】
0003184628.tif 000011